【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
タッチ・データーのユーザー割り当ての曖昧さを除去し、少なくとも１つのタッチ・ポイントを、特定のユーザーによって行われたタッチに対応するものとする識別を伝える方法であって、前記少なくとも１つのタッチ・ポイントが、容量性タッチ・センサーによって検出された複数のタッチ・ポイントから識別され、前記容量性タッチ・センサーが、行に配列された第１導体アレイと、列に配列された第２導体アレイとして構成された導体の二次元マトリクスを有し、前記方法が、
第１ユーザーについての行タッチ・データーを受けるステップであって、前記第１ユーザーの行タッチ・データーが、前記第１ユーザーによってタッチされた前記第１アレイにおける１つ以上の導体を示し、前記第１ユーザーの行タッチ・データーが、共通ノードと前記第１ユーザーによってタッチされた前記第１アレイにおける前記１つ以上の導体との間における容量変化を反映する信号を検知する前記容量性タッチ・センサーによって取り込まれる、ステップと、
前記第１ユーザーについての列タッチ・データーを受けるステップであって、前記第１ユーザーの列タッチ・データーが、前記第１ユーザーによってタッチされた前記第２アレイにおける１つ以上の導体を示し、前記第１ユーザーの列タッチ・データーが、前記共通ノードと前記第１ユーザーによってタッチされた前記第２アレイにおける前記１つ以上の導体との間における容量変化を反映する信号を検知する前記容量性タッチ・センサーによって取り込まれる、ステップと、
前記第１ユーザーとは異なる第２ユーザーについての行タッチ・データーを受けるステップであって、前記第２ユーザーの行タッチ・データーが、前記第２ユーザーによってタッチされた前記第１アレイにおける１つ以上の導体を示し、前記第２ユーザーの行タッチ・データーが、前記共通ノードと前記第２ユーザーによってタッチされた前記第１アレイにおける前記１つ以上の導体との間における容量変化を反映する信号を検知する前記容量性タッチ・センサーによって取り込まれる、ステップと、
前記第２ユーザーについての列タッチ・データーを受けるステップであって、前記第２ユーザーの列タッチ・データーが、前記第２ユーザーによってタッチされた前記第２アレイにおける１つ以上導体を示し、前記第２ユーザーの列タッチ・データーが、前記共通ノードと前記第２ユーザーによってタッチされた前記第２アレイにおける前記１つ以上の導体との間における容量変化を反映する信号を検知する前記容量性タッチ・センサーによって取り込まれる、ステップと、
前記二次元導体マトリクス上における複数のタッチ・ポイントの二次元位置を、前記第１アレイからの１つの導体のｙ座標と前記第２アレイからの１つの導体のｘ座標として示すタッチ・ポイント位置データーを受けるステップであって、前記タッチ・ポイント位置データーが、前記第１アレイからの前記１つの導体と、前記第２アレイからの対応する対をなす導体との間における、タッチによって生ずる容量変化を反映する信号の前記複数のタッチ・ポイントの各々に対する前記容量性タッチ・センサーによる検出に基づいて取り込まれる、ステップと、
前記受けたタッチ・ポイント位置データーを前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの中から、前記第１ユーザーによって行われたタッチに対応するものとして、少なくとも１つのタッチ・ポイントを特定するステップと、
前記特定を伝えるステップと、
を含む、方法。
【請求項２】
請求項１記載の方法であって、更に、
前記共通ノードと前記第１ユーザーによってタッチされた前記第１アレイにおける前記１つ以上の導体との間における容量変化を検知する前記容量性タッチ・センサーによって、前記受けた第１ユーザーの行タッチ・データーを取り込むステップと、
前記共通ノードと前記第１ユーザーによってタッチされた前記第２アレイにおける前記１つ以上の導体との間における容量変化を検知する前記容量性タッチ・センサーによって、前記受けた第１ユーザーの列タッチ・データーを取り込むステップと、
前記共通ノードと前記第２ユーザーによってタッチされた前記第１アレイにおける前記１つ以上の導体との間における容量変化を検知する前記容量性タッチ・センサーによって、前記受けた第２ユーザーの行タッチ・データーを取り込むステップと、
前記共通ノードと前記第２ユーザーによってタッチされた前記第２アレイにおける前記１つ以上の導体との間における容量変化を検知する前記容量性タッチ・センサーによって、前記受けた第２ユーザーの列タッチ・データーを取り込むステップと、
前記複数のタッチ・ポイントの各々に対して、前記第１アレイからの前記１つの導体と、前記第２アレイからの前記対応する対をなす導体との間におけるタッチによって生じた容量変化を検知する前記容量性タッチ・センサーによって、前記受けたタッチ・ポイント位置データーを取り込むステップと、
を含む、方法。
【請求項３】
請求項１記載の方法において、前記複数のタッチ・ポイントの内少なくとも１つのタッチ・ポイントを、前記第１ユーザーによって行われたタッチに対応するものとして特定するステップが、
前記複数のタッチ・ポイントから１つを選択するステップと、
前記タッチ・ポイント位置データーから前記選択されたタッチ・ポイントの二次元位置にアクセスするステップであって、前記選択されたタッチ・ポイントの位置が、前記第１アレイにおける第１導体と前記第２アレイにおける第２導体との対として示される、ステップと、  
前記第１ユーザーの行タッチ・データーにアクセスするステップと、
前記第１ユーザーの列タッチ・データーにアクセスするステップと、
前記第１ユーザーの行タッチ・データーおよび前記第１ユーザーの列タッチ・データーが、前記第１ユーザーが前記第１導体および前記第２導体にタッチしていることを示すと判断するステップと、
前記第２ユーザーの行タッチ・データーにアクセスするステップと、
前記第２ユーザーの列タッチ・データーにアクセスするステップと、
前記第２ユーザーの行タッチ・データーおよび前記第２ユーザーの列タッチ・データーが、前記第２ユーザーが前記第１導体にタッチしていないこと、前記第２導体にタッチしていないこと、または前記第１導体および前記第２導体双方にタッチしていないことを示すと判断するステップと、
前記第１ユーザーの行タッチ・データーおよび前記第１ユーザーの列タッチ・データーが、前記第１ユーザーが前記第１導体および前記第２導体にタッチしていることを示すという判断と、前記第２ユーザーの行タッチ・データーおよび前記第２ユーザーの列タッチ・データーが、前記第２ユーザーが前記第１導体にタッチしていないこと、前記第２導体にタッチしていないこと、または前記第１導体および前記第２導体双方にタッチしていないことを示すという判断とに基づいて、前記選択されたタッチ・ポイントが、前記第１ユーザーによって行われたタッチに対応すると結論付けるステップと、
を含む、方法。
【請求項４】
請求項１記載の方法において、前記複数のタッチ・ポイントの内少なくとも１つのタッチ・ポイントを、前記第１ユーザーによって行われたタッチに対応するものとして特定するステップが、
１人以上の他のユーザーの各々についての行タッチ・データーを受けるステップであって、前記１人以上の他のユーザーの各々についての前記行タッチ・データーが、前記他のユーザーによってタッチされた前記第１アレイにおける１つ以上の導体を示す、ステップと、
前記１人以上の他のユーザーの各々についての列タッチ・データーを受けるステップであって、前記１人以上の他のユーザーの各々についての前記列タッチ・データーが、前記他のユーザーによってタッチされた前記第２アレイにおける１つ以上の導体を示す、ステップと、
前記複数のタッチ・ポイントから１つを選択するステップと、
前記タッチ・ポイント位置データーから前記選択されたタッチ・ポイントの二次元位置にアクセスするステップであって、前記選択されたタッチ・ポイントの位置が、前記第１アレイにおける第１導体と前記第２アレイにおける第２導体との対として示される、ステップと、  
前記第１ユーザーの行タッチ・データーにアクセスするステップと、
前記第１ユーザーの列タッチ・データーにアクセスするステップと、
前記第１ユーザーの行タッチ・データーおよび前記第１ユーザーの列タッチ・データーが、前記第１ユーザーが前記第１導体および前記第２導体にタッチしていることを示すか否か判断するステップと、
前記第１ユーザーの行タッチ・データーおよび前記第１ユーザーの列タッチ・データーが、前記第１ユーザーが前記第１導体および前記第２導体にタッチしていることを示すと判断されたか否かに基づいて、前記第１ユーザーを前記選択されたタッチ・ポイントに対する候補ユーザーのプールに追加するステップと、
前記第２ユーザーの行タッチ・データーにアクセスするステップと、
前記第２ユーザーの列タッチ・データーにアクセスするステップと、
前記第２ユーザーの行タッチ・データーおよび前記第２ユーザーの列タッチ・データーが、前記第２ユーザーが前記第１導体および前記第２導体にタッチしていることを示すか否か判断するステップと、
前記第２ユーザーの行タッチ・データーおよび前記第２ユーザーの列タッチ・データーが、前記第２ユーザーが前記第１導体および前記第２導体にタッチしていることを示すと判断されたか否かに基づいて、前記第２ユーザーを前記選択されたタッチ・ポイントに対する候補ユーザーのプールに追加するステップと、
前記１人以上の他のユーザーの各々についての前記行タッチ・データーにアクセスするステップと、
前記１人以上の他のユーザーの各々についての前記列タッチ・データーにアクセスするステップと、
前記１人以上のユーザーの各々について、
前記他のユーザーの行タッチ・データーおよび前記他のユーザーの列タッチ・データーが、前記他のユーザーが前記第１導体および前記第２導体にタッチしていることを示すか否か判断するステップと、
前記他のユーザーの行タッチ・データーおよび前記他のユーザーの列タッチ・データーが、前記他のユーザーが前記第１導体および前記第２導体にタッチしていることを示すと判断されたか否かに基づいて、前記他のユーザーを、前記選択されたタッチ・ポイントに対する候補ユーザーのプールに追加するステップと、
前記選択されたタッチ・ポイントに対する前記候補ユーザーのプールが、前記第１ユーザーのみを含むと判断するステップと、
前記選択されたタッチ・ポイントに対する前記候補ユーザーのプールが、前記第１ユーザーのみを含むという判断に基づいて、前記選択されたタッチ・ポイントが、前記第１ユーザーによって行われたタッチに対応すると結論付けるステップと、
を含む、方法。  
【請求項５】
請求項１記載の方法において、
前記複数のタッチ・ポイントの内少なくとも１つのタッチ・ポイントを、前記第１ユーザーによって行われたタッチに対応するものとして特定するステップが、前記複数のタッチ・ポイントの内第１タッチ・ポイントを、前記第１ユーザーによって行われたタッチに対応するものとして特定するステップを含み、
前記方法が、更に、前記受けたタッチ・ポイント位置データーを、前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの内第２タッチ・ポイントを、前記第２ユーザーによって行われたタッチに対応するものとして特定するステップを含む、方法。
【請求項６】
請求項１記載の方法において、前記受けたタッチ・ポイント位置データー、前記受けた第１ユーザーの行タッチ・データー、前記受けた第１ユーザーの列タッチ・データー、前記受けた第２ユーザーの行タッチ・データー、および前記受けた第２ユーザーの列タッチ・データーが、１つの特定のフレームの間に取り込まれ、
前記複数のタッチ・ポイントの内少なくとも１つのタッチ・ポイントを、前記第１ユーザーによって行われたタッチに対応するものとして特定するステップが、前記複数のタッチ・ポイントの第１部分集合を、前記第１ユーザーによって行われたタッチに対応するものとして特定するステップを含み、
前記方法が、更に、前記受けたタッチ・ポイント位置データーを、前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの第２部分集合を、前記第２ユーザーによって行われたタッチに対応するものとして特定するステップを含み、
更に、前記１つの特定のフレームよりも前のフレームの間に取り込まれた履歴タッチ・データーを使用する経験的方法を適用せずに、前記複数のタッチ・ポイントの内第３部分集合におけるタッチ・ポイントが、任意のユーザーによって行われたタッチに対応するものとして一意に判断することができないことから、前記第３部分集合を曖昧であると判断するステップを含む、方法。  
【請求項７】
請求項１記載の方法において、前記複数のタッチ・ポイントの内少なくとも１つのタッチ・ポイントを、前記第１ユーザーによって行われたタッチに対応するものとして特定するステップが、前記複数のタッチ・ポイントに対する１つ以上の有効なユーザー割り当てを特定するステップを含み、前記複数のタッチ・ポイントに対する有効な各ユーザー割り当てが、前記複数のタッチ・ポイントの各々の前記複数のユーザーの内１人のみに対する割り当てを示し、前記複数のユーザーが、前記第１ユーザーおよび前記第２ユーザーを含む、方法。
【請求項８】
請求項７記載の方法において、前記複数のタッチ・ポイントに対して１つ以上の有効なユーザー割り当てを特定するステップが、
予備のアルゴリズムを適用することによって、前記複数のタッチ・ポイントの内部分集合における各タッチ・ポイントの前記複数のユーザーの内１人に対する一意の割り当てを判定するステップと、
前記複数のタッチ・ポイントからの前記部分集合の除去の後、前記複数のタッチ・ポイントに対応する縮小組のタッチ・ポイントを生成するステップと、
前記縮小組のタッチ・ポイントにおける前記タッチ・ポイントの可能なユーザー割り当てを特定するステップと、
特定された可能なユーザー割り当て毎に、前記複数のユーザーの内特定のユーザー毎に、前記特定のユーザーについての行タッチ・データーにおいてタッチされたことが分かる前記第１アレイにおける特定の導体毎に、および前記特定のユーザーについての列タッチ・データーにおいてタッチされたことが分かる前記特定の導体毎に、前記特定された可能なユーザー割り当てが、前記特定のユーザーに、前記縮小組から、前記第１アレイにおける前記特定の導体に対応する位置を有する少なくとも１つのタッチ・ポイントと、前記第２アレイにおける前記特定の導体に対応する位置を有する前記縮小組からの少なくとも１つのタッチ・ポイントとを割り当てる場合、前記特定された可能なユーザー割り当てを有効であると指定するステップと、
前記有効と指定された可能なユーザー割り当てを、前記予備のアルゴリズムによって判定された前記部分集合における前記タッチ・ポイントの前記一意の割り当てと組み合わせて、前記複数のタッチ・ポイントに対する前記１組の１つ以上の有効なユーザー割り当てに到達するステップと、
を含む、方法。
【請求項９】
請求項８記載の方法において、前記予備のアルゴリズムを適用することによって前記複数のタッチ・ポイントの前記部分集合における各タッチ・ポイントの一意の割り当てを判定するステップが、
前記複数のタッチ・ポイントから１つを選択するステップと、
前記タッチ・ポイント位置データーから前記選択されタッチ・ポイントの二次元位置にアクセスするステップであって、前記選択されたタッチ・ポイントの位置が、前記第１アレイにおける第１導体と前記第２アレイにおける第２導体との対として示される、ステップと、
前記複数のユーザーの各々に対して、
前記ユーザーについての行タッチ・データーおよび列タッチ・データーにアクセスするステップと、
前記ユーザーについての行タッチ・データーおよび前記ユーザーについての列タッチ・データーが、前記ユーザーが前記第１導体および前記第２導体にタッチしていることを示すか否か判断するステップと、
前記ユーザーについての行タッチ・データーおよび前記ユーザーについての列タッチ・データーが、前記ユーザーが前記第１導体および前記第２導体にタッチしていると判断したか否かに基づいて、前記ユーザーを、前記選択されたタッチ・ポイントに対する前記候補ユーザーのプールに追加するステップと、
前記選択されたタッチ・ポイントに対する前記候補ユーザーのプールが１人のユーザのみを含むか否か判定するステップと、
前記候補ユーザーのプールが１人のユーザーのみを含むと判定されたか否かに基づいて、前記選択されたタッチ・ポイントを前記１人のユーザーに一意に割り当て、これによって前記選択されたタッチ・ポイントを前記部分集合に含ませるステップと、
前記候補ユーザーのプールが複数のユーザーを含むと判定されたか否かに基づいて、前記選択されたタッチ・ポイントを前記部分集合に含ませないステップと、
を含む、方法。
【請求項１０】
請求項８記載の方法において、前記縮小組のタッチ・ポイントにおける前記タッチ・ポイントの可能なユーザー割り当てを特定するステップが、Ｘ＾Ｙ通りの異なるユーザー割り当てを特定するステップを含み、ここで、Ｘが複数のユーザーの数に等しく、Ｙが前記縮小組のタッチ・ポイントにおけるタッチ・ポイントの数に等しい、方法。
【請求項１１】
請求項８記載の方法において、前記縮小組のタッチ・ポイントにおける前記タッチ・ポイントの可能なユーザー割り当てを特定するステップ、および前記特定された可能なユーザー割り当てを有効であると指定するステップが、ユーザー割り当て構成ツリーの異なるノードによって表される異なる可能なユーザー割り当ての有効性を選択的に分析する反復アルゴリズムを適用するステップを含む、方法。
【請求項１２】
請求項１１記載の方法において、前記反復アルゴリズムが、可能なユーザー割り当てのより大きな集合を表す前記ユーザー割り当て構成ツリーにおけるより高いレベルのノードを分析することから、より小さな集合または１つの可能なユーザー識別を表す前記ユーザー割り当て構成ツリーにおけるより低いレベルのノードを分析することまで選択的に進めることによって、前記異なる可能なユーザー割り当ての有効性を選択的に分析する、方法。
【請求項１３】
請求項８記載の方法において、予備のアルゴリズムを適用することによって前記複数のタッチ・ポイントの前記部分集合における各タッチ・ポイントの一意の割り当てを判定するステップが、前記部分集合における各タッチ・ポイントの前記複数のユーザーの内１人への曖昧でない割り当てを生成するステップを含む、方法。
【請求項１４】
請求項７記載の方法において、
前記複数のタッチ・ポイントに対して１つ以上の有効なユーザー割り当てを特定するステップが、前記複数のタッチ・ポイントに対して複数の有効なユーザー割り当てを特定するステップを含み、
前記方法が、更に、前記複数の有効なユーザー割り当ての中から、１つの特定の有効ユーザー割り当てを最も精度が高いユーザー割り当てとして選択するために、履歴タッチ・ポイント・データーを使用する経験的アルゴリズムを適用するステップを含む、方法。
【請求項１５】
タッチ・データーのユーザー割り当ての曖昧さを除去し、少なくとも１つのタッチ・ポイントを、特定のユーザーによって行われたタッチに対応するものとする識別を伝えるシステムであって、前記少なくとも１つのタッチ・ポイントが、容量性タッチ・センサーによって検出された複数のタッチ・ポイントから識別され、前記容量性タッチ・センサーが、行に配列された第１導体アレイと、列に配列された第２導体アレイとして構成された導体の二次元マトリクスを有し、前記システムが、
１つ以上のコンピューター・プロセッサーを含み、このコンピューター・プロセッサーが、                                                                            
第１ユーザーについての行タッチ・データーを受けるように構成され、前記第１ユーザーの行タッチ・データーが、前記第１ユーザーによってタッチされた、前記第１アレイにおける１つ以上の導体を示し、前記第１ユーザーの行タッチ・データーが、共通ノードと前記第１ユーザーによってタッチされた前記第１アレイにおける前記１つ以上の導体との間における容量変化を反映する信号を検知する前記容量性タッチ・センサーによって取り込まれ、
前記第１ユーザーについての列タッチ・データーを受けるように構成され、前記第１ユーザーの列タッチ・データーが、前記第１ユーザーによってタッチされた前記第２アレイにおける前記１つ以上の導体を示し、前記第１ユーザーの列タッチ・データーが、前記共通ノードと前記第１ユーザーによってタッチされた前記第２アレイにおける前記１つ以上の導体との間における容量変化を反映する信号を検知する前記容量性タッチ・センサーによって取り込まれ、
前記第１ユーザーとは異なる第２ユーザーについての行タッチ・データーを受けるように構成され、前記第２ユーザーの行タッチ・データーが、前記第２ユーザーによってタッチされた、前記第１アレイにおける１つ以上の導体を示し、前記第２ユーザーの行タッチ・データーが、前記共通ノードと前記第２ユーザーによってタッチされた前記第１アレイにおける前記１つ以上の導体との間における容量変化を反映する信号を検知する前記容量性タッチ・センサーによって取り込まれ、
前記第２ユーザーについての列タッチ・データーを受けるように構成され、前記第２ユーザーの列タッチ・データーが、前記第２ユーザーによってタッチされた前記第２アレイにおける前記１つ以上の導体を示し、前記第２ユーザーの列タッチ・データーが、前記共通ノードと前記第２ユーザーによってタッチされた前記第２アレイにおける前記１つ以上の導体との間における容量変化を反映する信号を検知する前記容量性タッチ・センサーによって取り込まれ、
前記二次元導体マトリクス上における複数のタッチ・ポイントの二次元位置を、前記第１アレイからの１つの導体のｙ座標と前記第２アレイからの１つの導体のｘ座標として示すタッチ・ポイント位置データーを受けるように構成され、前記タッチ・ポイント位置データーが、前記第１アレイからの前記１つの導体と、前記第２アレイからの対応する対をなす導体との間における、タッチによって生ずる容量変化を反映する信号の前記複数のタッチ・ポイントの各々に対する前記容量性タッチ・センサーによる検出に基づいて取り込まれ、
前記受けたタッチ・ポイント位置データーを前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの中から、前記第１ユーザーによって行われたタッチに対応するものとして、少なくとも１つのタッチ・ポイントを特定するように構成され、
前記特定を伝えるように構成された、
システム。
【請求項１６】
請求項１５記載のシステムであって、更に、前記容量性タッチ・センサーを含み、
前記容量性タッチ・センサーが、
前記共通ノードと、前記第１ユーザーによってタッチされた前記第１アレイにおける前記１つ以上の導体との間における容量変化を検知する前記容量性タッチ・センサーによって、前記受けた第１ユーザーの行タッチ・データーを取り込み、
前記共通ノードと前記第１ユーザーによってタッチされた前記第２アレイにおける前記１つ以上の導体との間における容量変化を検知することによって、前記受けた第１ユーザーの列タッチ・データーを取り込み、
前記共通ノードと前記第２ユーザーによってタッチされた前記第１アレイにおける前記１つ以上の導体との間における容量変化を検知することによって、前記受けた第２ユーザーの行タッチ・データーを取り込み、
前記共通ノードと前記第２ユーザーによってタッチされた前記第２アレイにおける前記１つ以上の導体との間における容量変化を検知することによって、前記受けた第２ユーザーの列タッチ・データーを取り込み、
前記複数のタッチ・ポイントの各々に対して、前記第１アレイからの前記１つの導体と、前記第２アレイからの前記対応する対をなす導体との間における、タッチによって生じた容量変化を検知することによって、前記受けたタッチ・ポイント位置データーを取り込むように構成された、システム。
【請求項１７】
請求項１５記載のシステムにおいて、前記複数のタッチ・ポイントの内少なくとも１つのタッチ・ポイントを、前記第１ユーザーによって行われたタッチに対応するものとして特定するように構成された前記１つ以上のプロセッサーが、
前記複数のタッチ・ポイントから１つを選択するように構成され、
前記タッチ・ポイント位置データーから前記選択されたタッチ・ポイントの二次元位置にアクセスするように構成され、前記選択されたタッチ・ポイントの位置が、前記第１アレイにおける第１導体と前記第２アレイにおける第２導体との対として示され、  
前記第１ユーザーの行タッチ・データーにアクセスするように構成され、
前記第１ユーザーの列タッチ・データーにアクセスするように構成され、
前記第１ユーザーの行タッチ・データーおよび前記第１ユーザーの列タッチ・データーが、前記第１ユーザーが前記第１導体および前記第２導体にタッチしていることを示すと判断するように構成され、
前記第２ユーザーの行タッチ・データーにアクセスするように構成され、
前記第２ユーザーの列タッチ・データーにアクセスするように構成され、
前記第２ユーザーの行タッチ・データーおよび前記第２ユーザーの列タッチ・データーが、前記第２ユーザーが前記第１導体にタッチしていないこと、前記第２導体にタッチしていないこと、または前記第１導体および前記第２導体双方にタッチしていないことを示すと判断するように構成され、
前記第１ユーザーの行タッチ・データーおよび前記第１ユーザーの列タッチ・データーが、前記第１ユーザーが前記第１導体および前記第２導体にタッチしていることを示すという判断と、前記第２ユーザーの行タッチ・データーおよび前記第２ユーザーの列タッチ・データーが、前記第２ユーザーが前記第１導体にタッチしていないこと、前記第２導体にタッチしていないこと、または前記第１導体および前記第２導体双方にタッチしていないことを示すという判断とに基づいて、前記選択されたタッチ・ポイントが、前記第１ユーザーによって行われたタッチに対応すると結論付けるように構成された、前記１つ以上のプロセッサーを含む、システム。
【請求項１８】
請求項１５記載のシステムにおいて、前記複数のタッチ・ポイントの内少なくとも１つのタッチ・ポイントを、前記第１ユーザーによって行われたタッチに対応するものとして特定するように構成された前記少なくとも１つ以上のプロセッサーが、
１人以上の他のユーザーの各々についての行タッチ・データーを受けるように構成され、前記１人以上の他のユーザーの各々についての前記行タッチ・データーが、前記他のユーザーによってタッチされた前記第１アレイにおける１つ以上の導体を示し、
前記１人以上の他のユーザーの各々についての列タッチ・データーを受けるように構成され、前記１人以上の他のユーザーの各々についての前記列タッチ・データーが、前記他のユーザーによってタッチされた前記第２アレイにおける１つ以上の導体を示し、
前記複数のタッチ・ポイントから１つを選択するように構成され、
前記タッチ・ポイント位置データーから前記選択されたタッチ・ポイントの二次元位置にアクセスするように構成され、前記選択されたタッチ・ポイントの位置が、前記第１アレイにおける第１導体と前記第２アレイにおける第２導体との対として示され、  
前記第１ユーザーの行タッチ・データーにアクセスするように構成され、
前記第１ユーザーの列タッチ・データーにアクセスするように構成され、
前記第１ユーザーの行タッチ・データーおよび前記第１ユーザーの列タッチ・データーが、前記第１ユーザーが前記第１導体および前記第２導体にタッチしていることを示すか否か判断するように構成され、
前記第１ユーザーの行タッチ・データーおよび前記第１ユーザーの列タッチ・データーが、前記第１ユーザーが前記第１導体および前記第２導体にタッチしていることを示すと判断されたか否かに基づいて、前記第１ユーザーを前記選択されたタッチ・ポイントに対する候補ユーザーのプールに追加するように構成され、
前記第２ユーザーの行タッチ・データーにアクセスするように構成され、
前記第２ユーザーの列タッチ・データーにアクセスするように構成され、
前記第２ユーザーの行タッチ・データーおよび前記第２ユーザーの列タッチ・データーが、前記第２ユーザーが前記第１導体および前記第２導体にタッチしていることを示すか否か判断するように構成され、
前記第２ユーザーの行タッチ・データーおよび前記第２ユーザーの列タッチ・データーが、前記第２ユーザーが前記第１導体および前記第２導体にタッチしていることを示すと判断されか否かに基づいて、前記第２ユーザーを前記選択されたタッチ・ポイントに対する候補ユーザーのプールに追加するように構成され、
前記１人以上の他のユーザーの各々についての前記行タッチ・データーにアクセスするように構成され、
前記１人以上の他のユーザーの各々についての前記列タッチ・データーにアクセスするように構成され、
前記１人以上のユーザーの各々について、
前記他のユーザーの行タッチ・データーおよび前記他のユーザーの列タッチ・データーが、前記他のユーザーが前記第１導体および前記第２導体にタッチしていることを示すか否か判断するように構成され、
前記他のユーザーの行タッチ・データーおよび前記他のユーザーの列タッチ・データーが、前記他のユーザーが前記第１導体および前記第２導体にタッチしていることを示すと判断されたか否かに基づいて、前記他のユーザーを、前記選択されたタッチ・ポイントに対する候補ユーザーのプールに追加するように構成され、
前記選択されたタッチ・ポイントに対する前記候補ユーザーのプールが、前記第１ユーザーのみを含むと判断するように構成され、
前記選択されたタッチ・ポイントに対する前記候補ユーザーのプールが、前記第１ユーザーのみを含むという判断に基づいて、前記選択されたタッチ・ポイントが、前記第１ユーザーによって行われたタッチに対応すると結論付けるように構成された前記１つ以上のプロセッサーを含む、システム。  
【請求項１９】
請求項１５記載のシステムにおいて、
前記複数のタッチ・ポイントの内少なくとも１つのタッチ・ポイントを、前記第１ユーザーによって行われたタッチに対応するものとして特定するように構成された前記１つ以上のプロセッサーが、前記複数のタッチ・ポイントの内第１タッチ・ポイントを、前記第１ユーザーによって行われたタッチに対応するものとして特定するように構成された前記１つ以上のプロセッサーを含み、
前記システムが、更に、前記受けたタッチ・ポイント位置データーを、前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの内第２タッチ・ポイントを、前記第２ユーザーによって行われたタッチに対応するものとして特定するように構成された前記１つ以上のプロセッサーを含む、システム。
【請求項２０】
請求項１５記載のシステムにおいて、前記受けたタッチ・ポイント位置データー、前記受けた第１ユーザーの行タッチ・データー、前記受けた第１ユーザーの列タッチ・データー、前記受けた第２ユーザーの行タッチ・データー、および前記受けた第２ユーザーの列タッチ・データーが、１つの特定のフレームの間に取り込まれ、
前記複数のタッチ・ポイントの内少なくとも１つのタッチ・ポイントを、前記第１ユーザーによって行われたタッチに対応するものとして特定するように構成された前記１つ以上のプロセッサーが、前記複数のタッチ・ポイントの第１部分集合を、前記第１ユーザーによって行われたタッチに対応するものとして特定するように構成された前記１つ以上のプロセッサーを含み、
前記システムが、更に、前記受けたタッチ・ポイント位置データーを、前記受けた第１ユーザーの行タッチ・データー、前記受けた第１ユーザーの列タッチ・データー、前記受けた第２ユーザーの行タッチ・データー、および前記受けた第２ユーザーの列タッチ・データーに適用することによって、前記複数のタッチ・ポイントの第２部分集合を、前記第２ユーザーによって行われたタッチに対応するものとして特定するように構成された前記１つ以上のプロセッサーを含み、
更に、前記１つの特定のフレームよりも前のフレームの間に取り込まれた履歴タッチ・データーを使用する経験的方法を適用せずに、前記複数のタッチ・ポイントの内第３部分集合におけるタッチ・ポイントが、任意のユーザーによって行われたタッチに対応するものとして一意に判断することができないことから、前記第３部分集合を曖昧であると判断するように構成された前記１つ以上のプロセッサーを含む、システム。  
【請求項２１】
請求項１５記載のシステムにおいて、前記複数のタッチ・ポイントの内少なくとも１つのタッチ・ポイントを、前記第１ユーザーによって行われたタッチに対応するものとして特定するように構成された前記１つ以上のプロセッサーが、前記複数のタッチ・ポイントに対する１つ以上の有効なユーザー割り当てを特定するように構成された前記１つ以上のプロセッサーを含み、前記複数のタッチ・ポイントに対する有効な各ユーザー割り当てが、前記複数のタッチ・ポイントの各々の前記複数のユーザーの内１人のみに対する割り当てを示し、前記複数のユーザーが、前記第１ユーザーおよび前記第２ユーザーを含む、システム。
【請求項２２】
請求項２１記載のシステムにおいて、前記複数のタッチ・ポイントに対して１つ以上の有効なユーザー割り当てを特定するように構成された前記１つ以上のプロセッサーが、
予備のアルゴリズムを適用することによって、前記複数のタッチ・ポイントの内部分集合における各タッチ・ポイントの前記複数のユーザーの内１人に対する一意の割り当てを判定し、
前記複数のタッチ・ポイントからの前記部分集合の除去の後、前記複数のタッチ・ポイントに対応する縮小組のタッチ・ポイントを生成し、
前記縮小組のタッチ・ポイントにおける前記タッチ・ポイントの可能なユーザー割り当てを特定し、
特定された可能なユーザー割り当て毎に、前記複数のユーザーの内特定のユーザー毎に、前記特定のユーザーについての行タッチ・データーにおいてタッチされたことが分かる前記第１アレイにおける特定の導体毎に、および前記特定のユーザーについての列タッチ・データーにおいてタッチされたことが分かる前記特定の導体毎に、前記特定された可能なユーザー割り当てが、前記特定のユーザーに、前記縮小組から、前記第１アレイにおける前記特定の導体に対応する位置を有する少なくとも１つのタッチ・ポイントと、前記第２アレイにおける前記特定の導体に対応する位置を有する前記縮小組からの少なくとも１つのタッチ・ポイントとを割り当てる場合、前記特定された可能なユーザー割り当てを有効であると指定し、
前記有効と指定された可能なユーザー割り当てを、前記予備のアルゴリズムによって判定された前記部分集合における前記タッチ・ポイントの前記一意の割り当てと組み合わせて、前記複数のタッチ・ポイントに対する前記１組の１つ以上の有効なユーザー割り当てに到達するように構成された前記１つ以上のプロセッサーを含む、システム。
【請求項２３】
請求項２２記載のシステムにおいて、前記予備のアルゴリズムを適用することによって前記複数のタッチ・ポイントの前記部分集合における各タッチ・ポイントの一意の割り当てを判定するように構成された前記１つ以上のプロセッサーが、
前記複数のタッチ・ポイントから１つを選択するように構成され、
前記タッチ・ポイント位置データーから前記選択されタッチ・ポイントの二次元位置にアクセスするように構成され、前記選択されたタッチ・ポイントの位置が、前記第１アレイにおける第１導体と前記第２アレイにおける第２導体との対として示され、
前記複数のユーザーの各々に対して、
前記ユーザーについての行タッチ・データーおよび列タッチ・データーにアクセスするように構成され、
前記ユーザーについての行タッチ・データーおよび前記ユーザーについての列タッチ・データーが、前記ユーザーが前記第１導体および前記第２導体にタッチしていることを示すか否か判断するように構成され、
前記ユーザーについての行タッチ・データーおよび前記ユーザーについての列タッチ・データーが、前記ユーザーが前記第１導体および前記第２導体にタッチしていると判断したか否かに基づいて、前記ユーザーを、前記選択されたタッチ・ポイントに対する前記候補ユーザーのプールに追加するように構成され、
前記候補ユーザーのプールが１人のユーザーのみを含むと判定されたか否かに基づいて、前記選択されたタッチ・ポイントを前記１人のユーザーに一意に割り当て、これによって前記選択されたタッチ・ポイントを前記部分集合に含ませるように構成され、
前記候補ユーザーのプールが複数のユーザーを含むと判定されたか否かに基づいて、前記選択されたタッチ・ポイントを前記部分集合に含ませないように構成された前記１つ以上のプロセッサーを含む、システム。
【請求項２４】
請求項２２記載のシステムにおいて、前記縮小組のタッチ・ポイントにおける前記タッチ・ポイントの可能なユーザー割り当てを特定するように構成された前記１つ以上のプロセッサーが、Ｘ＾Ｙ通りの異なるユーザー割り当てを特定するように構成された前記１つ以上のプロセッサーを含み、ここで、Ｘが複数のユーザーの数に等しく、Ｙが前記縮小組のタッチ・ポイントにおけるタッチ・ポイントの数に等しい、システム。
【請求項２５】
請求項２２記載のシステムにおいて、前記縮小組のタッチ・ポイントにおける前記タッチ・ポイントの可能なユーザー割り当てを特定するように構成され、前記特定された可能なユーザー割り当てを有効であると指定するように構成された前記１つ以上のプロセッサーが、ユーザー割り当て構成ツリーの異なるノードによって表される異なる可能なユーザー割り当ての有効性を選択的に分析する反復アルゴリズムを適用するように構成された前記１つ以上のプロセッサーを含む、システム。
【請求項２６】
請求項２５記載のシステムにおいて、前記反復アルゴリズムが、可能なユーザー割り当てのより大きな集合を表す前記ユーザー割り当て構成ツリーにおけるより高いレベルのノードを分析することから、より小さな集合または１つの可能なユーザー識別を表す前記ユーザー割り当て構成ツリーにおけるより低いレベルのノードを分析することまで選択的に進めることによって、前記異なる可能なユーザー割り当ての有効性を選択的に分析する、システム。
【請求項２７】
請求項２２記載のシステムにおいて、予備のアルゴリズムを適用することによって前記複数のタッチ・ポイントの前記部分集合における各タッチ・ポイントの一意の割り当てを判定するように構成された前記１つ以上のプロセッサーが、前記部分集合における各タッチ・ポイントの前記複数のユーザーの内１人への曖昧でない割り当てを生成するように構成された前記１つ以上のプロセッサーを含む、システム。
【請求項２８】
請求項２１記載のシステムにおいて、
前記複数のタッチ・ポイントに対して１つ以上の有効なユーザー割り当てを特定するように構成された前記１つ以上のプロセッサーが、前記複数のタッチ・ポイントに対して複数の有効なユーザー割り当てを特定するように構成された前記１つ以上のプロセッサーを含み、
前記システムが、更に、前記複数の有効なユーザー割り当ての中から、１つの特定の有効ユーザー割り当てを最も精度が高いユーザー割り当てとして選択するために、履歴タッチ・ポイント・データーを使用する経験的アルゴリズムを適用するように構成された前記１つ以上のプロセッサーを含む、システム。